(57)【要約】【課題】シャッター板の巻回部分を覆うケースを通して外気が窓側へと入り込むのを抑制できるシャッター雨戸を提供する。【解決手段】シャッター雨戸は、閉鎖ローラー１１と移動許容支持部１２とを備える。上記閉鎖ローラー１１は、上記巻回部分２２の近傍の上記シャッター板２１に接しており、上記シャッター板２１の開閉動作によって回転する。また、上記移動許容支持部１２は、上記閉鎖ローラー１１を支持しており、上記巻回部分２２の径の拡大および縮小に伴う巻回部分近傍の上記シャッター板２１の位置変化に追従して上記閉鎖ローラー１１が移動するのを許容する。【選択図】図２
2013253440.tif 000002
【特許請求の範囲】
【請求項１】
シャッター板の巻回部分を覆うケースと、上記ケース内で上記巻回部分またはその近傍の上記シャッター板に接し、当該シャッター板の開閉動作によって回転するように設けられた閉鎖ローラーと、上記巻回部分の径の拡大および縮小に伴う当該巻回部分またはその近傍の上記シャッター板の位置変化に追従して上記閉鎖ローラーが移動するのを許容するように支持する移動許容支持部と、を備えたことを特徴とするシャッター雨戸。
【請求項２】
請求項１に記載のシャッター雨戸において、上記ケースの内面と上記閉鎖ローラーとの間に隙間閉鎖部材を備えたことを特徴とするシャッター雨戸。
【請求項３】
請求項１または請求項２に記載のシャッター雨戸において、上記移動許容支持部はガイド穴を有するガイド部材から成り、上記閉鎖ローラーは軸部とローラー部とを有しており、上記軸部が上記ガイド穴に係合していることを特徴とするシャッター雨戸。
【請求項４】
請求項３に記載のシャッター雨戸において、上記ガイド穴が傾斜して形成されており、上記閉鎖ローラーは、上記巻回部分の径が拡大するときに上記シャッター板に押し上げられて斜めに上昇し、上記巻回部分の径が縮小するときに自重で斜めに下降することを特徴とするシャッター雨戸。
【請求項５】
請求項３に記載のシャッター雨戸において、上記ガイド穴が水平に形成されるとともに上記閉鎖ローラーがばねで付勢されており、上記閉鎖ローラーは、上記巻回部分の径が拡大するときに上記シャッター板に押されることで上記ばねの付勢に抗して移動し、上記巻回部分の径が縮小するときに上記ばねの付勢によって移動することを特徴とするシャッター雨戸。
【請求項６】
請求項１に記載のシャッター雨戸において、上記移動許容支持部は上記閉鎖ローラーを回転自在に支持する板ばねから成り、上記閉鎖ローラーは、上記巻回部分の径が拡大するときに上記シャッター板に押されることで上記板ばねの付勢に抗して移動し、上記巻回部分の径が縮小するときに上記板ばねの付勢によって移動することを特徴とするシャッター雨戸。
【請求項７】
請求項６に記載のシャッター雨戸において、上記板ばねは、上記ケースの内面と上記閉鎖ローラーとの間を塞ぐ隙間閉鎖部材を兼ねることを特徴とするシャッター雨戸。
【請求項８】
請求項１に記載のシャッター雨戸において、上記移動許容支持部は上記閉鎖ローラーを回転自在に支持する板部材と上記板部材を回動させるヒンジと上記板部材に作用するばねとから成り、上記閉鎖ローラーは、上記巻回部分の径が拡大するときに上記シャッター板に押されることで上記ばねの付勢に抗して移動し、上記巻回部分の径が縮小するときに上記ばねの付勢によって移動することを特徴とするシャッター雨戸。
【請求項９】
請求項１に記載のシャッター雨戸において、上記移動許容支持部は上記閉鎖ローラーを回転自在に支持する板部材と上記板部材を回動させるヒンジとから成り、上記閉鎖ローラーは、上記巻回部分の径が拡大するときに上記シャッター板に押し上げられて斜め上に移動し、上記巻回部分の径が縮小するときに自重で斜め下に移動することを特徴とするシャッター雨戸。
【請求項１０】
請求項８または請求項９に記載のシャッター雨戸において、上記板部材は、上記ケースの内面と上記閉鎖ローラーとの間を塞ぐ隙間閉鎖部材を兼ねることを特徴とするシャッター雨戸。
【発明の詳細な説明】
【技術分野】
【０００１】
この発明は、建物の窓に配置されるシャッター雨戸に関する。
【背景技術】
【０００２】
建物の窓に配置される雨戸としてシャッター雨戸がある。このシャッター雨戸は、シャッター板の巻回部分を覆うケース、上記巻回部分を回転させることで上記シャッター板による開閉動作を行うモータ、上記シャッター板をガイドするレール、上記レールを支持する枠部などを備えている。
【０００３】
特許文献１には、シャッター装置の気密性を向上させる構造が開示されている。また、特許文献２には、鼠や昆虫などが建物内部へ浸入するのを防止できる防虫・防鼠シャッターが開示されている。
【先行技術文献】
【特許文献】
【０００４】
【特許文献１】特許第３７２８７１７号公報
【特許文献２】特許第３６５００９４号公報
【発明の開示】
【発明が解決しようとする課題】
【０００５】
しかしながら、上記特許文献１に開示されたシャッター装置では、シャッター板の巻回部分を覆うケースを通して外気が窓側へと入り込むのを防止できない。一方、上記特許文献２に開示された防虫・防鼠シャッターでは、上記ケースに相当する箇所からの外気の入り込みは防止できるものの、雨戸としての利用には向かない。
【０００６】
この発明は、上記の事情に鑑み、シャッター板の巻回部分を覆うケースを通して外気が窓側へと入り込むのを抑制できるシャッター雨戸を提供することを課題とする。
【課題を解決するための手段】
【０００７】
この発明のシャッター雨戸は、上記の課題を解決するために、シャッター板の巻回部分を覆うケースと、上記ケース内で上記巻回部分またはその近傍の上記シャッター板に接し、当該シャッター板の開閉動作によって回転するように設けられた閉鎖ローラーと、上記巻回部分の径の拡大および縮小に伴う当該巻回部分またはその近傍の上記シャッター板の位置変化に追従して上記閉鎖ローラーが移動するのを許容するように支持する移動許容支持部と、を備えたことを特徴とする。
【０００８】
上記構成であれば、上記シャッター板に接するのは上記閉鎖ローラーであるから、上記シャッター板との間の摩擦は軽減され、上記シャッター板の昇降動作に影響を与えない。そして、上記巻回部分の径の拡大および縮小に伴う当該巻回部分またはその近傍の上記シャッター板の位置変化に追従して上記閉鎖ローラーが移動するのを許容するので、上記閉鎖ローラーが上記シャッター板に接した状態が維持される。このように上記閉鎖ローラーが上記シャッター板に接した状態が維持されると、この接している箇所での外気の通過が阻止されることになり、上記ケースを通して外気が窓側へと入り込むのを低減することができる。
【０００９】
上記ケースの内面と上記閉鎖ローラーとの間に隙間閉鎖部材を備えていてもよい。これによれば、上記隙間閉鎖部材によって上記外気の窓側への入り込みをさらに低減できるようになる。
【００１０】
上記移動許容支持部はガイド穴を有するガイド部材から成り、上記閉鎖ローラーは軸部とローラー部とを有しており、上記軸部が上記ガイド穴に係合していてもよい。かかる構成において、上記ガイド穴が斜めに形成されており、上記閉鎖ローラーは、上記巻回部分の径が拡大するときに上記シャッター板に押し上げられて斜めに上昇し、上記巻回部分の径が縮小するときに自重で斜めに下降するように構成してもよい。或いは、上記ガイド穴が水平に形成されるとともに上記閉鎖ローラーがばねで付勢されており、上記閉鎖ローラーは、上記巻回部分の径が拡大するときに上記シャッター板に押されることで上記ばねの付勢に抗して移動し、上記巻回部分の径が縮小するときに上記ばねの付勢によって移動するように構成してもよい。
【００１１】
また、上記移動許容支持部は上記閉鎖ローラーを回転自在に支持する板ばねから成り、上記閉鎖ローラーは、上記巻回部分の径が拡大するときに上記シャッター板に押されることで上記板ばねの付勢に抗して移動し、上記巻回部分の径が縮小するときに上記板ばねの付勢によって移動するようにしてもよい。上記板ばねは、上記ケースの内面と上記閉鎖ローラーとの間を塞ぐ隙間閉鎖部材を兼ねてもよい。
【００１２】
また、上記移動許容支持部は上記閉鎖ローラーを回転自在に支持する板部材と上記板部材を回動させるヒンジと上記板部材に作用するばねとから成り、上記閉鎖ローラーは、上記巻回部分の径が拡大するときに上記シャッター板に押されることで上記ばねの付勢に抗して移動し、上記巻回部分の径が縮小するときに上記ばねの付勢によって移動するようにしてもよい。
【００１３】
また、上記移動許容支持部は上記閉鎖ローラーを回転自在に支持する板部材と上記板部材を回動させるヒンジとから成り、上記閉鎖ローラーは、上記巻回部分の径が拡大するときに上記シャッター板に押し上げられて斜め上に移動し、上記巻回部分の径が縮小するときに自重で斜め下に移動するようにしてもよい。
【００１４】
上記板部材は、上記ケースの内面と上記閉鎖ローラーとの間を塞ぐ隙間閉鎖部材を兼ねてもよい。
【００１５】
上記閉鎖ローラーはスポンジ部材からなっていてもよい。
【発明の効果】
【００１６】
本発明であれば、シャッター雨戸において、シャッター板の巻回部分を覆うケースを通して外気が窓側へと入り込むのを抑制できるという効果を奏する。
【図面の簡単な説明】
【００１７】
【図１】本発明の一実施形態に係るシャッター雨戸を示した斜視図である。
【図２】図１のシャッター雨戸における内部構造を示した説明図である。
【図３】図１のシャッター雨戸における巻回部分および閉鎖ローラー等を示した斜視図である。
【図４】他の実施形態のシャッター雨戸における内部構造を示した説明図である。
【図５】同図（Ａ）は他の実施形態のシャッター雨戸における内部構造を示した説明図であり、同図（Ｂ）はシャッター雨戸における閉鎖ローラー等を示した斜視図である。
【図６】同図（Ａ）は他の実施形態のシャッター雨戸における内部構造を示した説明図であり、同図（Ｂ）はシャッター雨戸における閉鎖ローラー等を示した斜視図である。
【図７】同図（Ａ）は他の実施形態のシャッター雨戸における内部構造を示した説明図であり、同図（Ｂ）はシャッター雨戸における閉鎖ローラー等を示した斜視図である。
【発明を実施するための最良の形態】
【００１８】
次に、この発明の実施形態に係るシャッター雨戸を添付図面に基づいて具体的に説明する。なお、本発明に係るシャッター雨戸は、下記の実施形態に示したものに限定されず、その要旨を変更しない範囲において適宜変更して実施できるものである。
【００１９】
図１に示しているように、家屋の窓３の屋外にシャッター雨戸２が設けられる。このシャッター雨戸２は、シャッター板２１における巻回部分２２を覆うケース２３と、上記シャッター板２１の開閉動作をガイドする側面レール２４と、上記側面レール２４を支持する枠部２５を備える。そして、上記ケース２３内の上記巻回部分２２の裏側に閉鎖ローラー機構１が設けられている。
【００２０】
図２に示しているように、上記シャッター板２１はスラットが多数連結されたものであり、上記スラットの側面には幾つかおきにガイド突起２１ａが設けられている。上記側面レール２４は、上記シャッター板２１の側縁および上記ガイド突起２１ａをガイドする。また、上記シャッター板２１が開動作するときには、当該シャッター板２１は上記巻回部分２２によって巻き上げられるので、実線で示すように、上記巻回部分２２の径は大きくなる。一方、上記シャッター板２１が閉動作するときには、当該シャッター板２１は上記巻回部分２２から離脱していくので、二点鎖線で示すように、上記巻回部分２２の径は小さくなる。
【００２１】
上記閉鎖ローラー機構１は、閉鎖ローラー１１と移動許容支持部１２とからなる。上記閉鎖ローラー１１は、上記巻回部分２２の近傍の上記シャッター板２１に接しており、上記シャッター板２１の開閉動作によって回転する。また、上記移動許容支持部１２は、上記閉鎖ローラー１１を回転自在に支持しており、上記巻回部分２２の径の拡大および縮小に伴う巻回部分２２の近傍の上記シャッター板２１の位置変化に追従して上記閉鎖ローラー１１が移動するのを許容する。
【００２２】
具体的には、図３に示すように、上記閉鎖ローラー１１の幅は、上記シャッター板２１の幅と同程度とされている。また、上記閉鎖ローラー１１は、軸部１１ａと、この軸部１１ａの周囲に位置するローラー部１１ｂとから成る。これら軸部１１ａと上記ローラー部１１ｂとは一体回転する。上記軸部１１ａは硬質樹脂や金属からなり、上記ローラー部１１ｂは例えば軟質ウレタンなどのスポンジ部材からなる。
【００２３】
上記移動許容支持部１２は、上記閉鎖ローラー１１をその両側から挟み込むように配置された一対のガイド板１２ａからなる。各ガイド板１２ａは上記ケース２３に固定されている。また、各ガイド板１２ａには、上記シャッター板２１から遠ざかるにつれて上り傾斜するガイド穴１２ｂが形成されており、上記ガイド穴１２ｂに上記閉鎖ローラー１１の軸部１１ａが係合している。これにより、上記閉鎖ローラー１１は、上記シャッター板２１が開動作して上記巻回部分２２の径が拡大するときに、上記シャッター板２１に押し上げられて上昇し、上記シャッター板２１が閉動作して上記巻回部分２２の径が縮小するときに、上記シャッター板２１とともに自重で下降する。
【００２４】
また、上記ケース２３の内面と上記閉鎖ローラー１１との間に隙間閉鎖部材１３が設けられている。この隙間閉鎖部材１３は上記一対のガイド板１２ａの配置間隔に対応した長さを有する。上記隙間閉鎖部材１３は、上昇および下降動作する上記閉鎖ローラー１１に干渉しないように配置される。
【００２５】
上記構成であれば、上記シャッター板２１に接するのは上記閉鎖ローラー１１であるから、上記シャッター板２１との間の摩擦は軽減され、上記シャッター板２１の昇降動作に影響を与えない。そして、上記巻回部分２２の径の拡大および縮小に伴う当該巻回部分２２の近傍の上記シャッター板２１の位置変化に追従して上記閉鎖ローラー１１が移動するのが許容されるので、上記閉鎖ローラー１１は上記シャッター板２１に接した状態をシャッター閉時にも維持する。これにより、上記閉鎖ローラー１１が上記シャッター板２１に接している箇所において外気の通過が阻止されることになり、上記ケース２３を通して外気が窓側へと入り込むのを低減することができる。
【００２６】
また、上記ケース２３の内面と上記閉鎖ローラー１１との間に隙間閉鎖部材１３を備えたので、上記外気の窓側への入り込みをさらに低減できるようになる。
【００２７】
また、上記ローラー部１１ｂは軟質ウレタンなどのスポンジ部材からなるので、上記シャッター板２１に上記閉鎖ローラー１１が接しながら回転するときの音の発生を抑制することができる。もちろん、上記スポンジ部材以外の部材を用いてこのような音の発生を抑制するようにしてもよいものである。
【００２８】
図４はこの発明の他の実施形態のシャッター雨戸の内部を示した説明図である。このシャッター雨戸では、上記移動許容支持部１２として一対のガイド板１２ａを備えるが、このガイド板１２ａに形成されているガイド穴１２ｂは傾斜せずに水平に延びている。そして、上記軸部１１ａの両端部には図示しない軸受け部材が外嵌されており、この軸受け部材にコイルばね１２ｃの一端が連結されている。上記コイルばね１２ｃの他端は上記ケース２３に固定されている。そして、上記コイルばね１２ｃは、上記閉鎖ローラー１１を上記シャッター板２１に押し当てるように圧縮配置されている。
【００２９】
このように、図４のシャッター雨戸においては、上記ガイド穴１２ｂが水平に形成され且つ上記閉鎖ローラー１１がコイルばね１２ｃで付勢されており、上記閉鎖ローラー１１は、上記巻回部分２２の径が拡大するときに上記シャッター板２１に押されて上記コイルばね１２ｃの付勢に抗して移動し、上記巻回部分２２の径が縮小するときに上記コイルばね１２ｃの付勢によって移動する。
【００３０】
なお、上記ローラー部１１ｂが上記軸部１１ａに対して回転する構造であれば、上記軸受け部材は不要である。
【００３１】
図５（Ａ）はこの発明の他の実施形態のシャッター雨戸の内部を示した説明図である。このシャッター雨戸では、上記移動許容支持部１２は、板ばね１２ｄから成る。上記板ばね１２ｄは、図５（Ｂ）に示しているように、上記閉鎖ローラー１１の幅と同程度の幅を有する。また、上記板ばね１２ｄは、その幅方向の両端側に突出部を有しており、この突出部の先端に軸受け部１４を有している。上記軸受け部１４に上記閉鎖ローラー１１の軸部１１ａが挿入されている。上記板ばね１２ｄの基端部は上記ケース２３に固定されている。上記基端部は上記軸部１１ａよりも上側に位置している。上記板ばね１２ｄは、上記閉鎖ローラー１１を下向きに押さえる力が働くと、この力を受けて下に大きく撓み、上記下向きに押さえる力が弱くなると撓みを小さくし、上記閉鎖ローラー１１を上記シャッター板２１に押し当てる状態を維持する。
【００３２】
このように、上記シャッター雨戸においては、上記移動許容支持部１２は、上記閉鎖ローラー１１を回転自在に支持する板ばね１２ｄから成り、上記閉鎖ローラー１１は、上記巻回部分２２の径が拡大するときに上記シャッター板２１に押されることで上記板ばね１２ｄの付勢に抗して移動し、上記巻回部分２２の径が縮小するときに上記板ばね１２ｄの付勢によって移動する。
【００３３】
また、上記板ばね１２ｄは、上記ケース２３の内面と上記閉鎖ローラー１１との間を塞ぐ隙間閉鎖部材を兼ねるものとなり、別個に上記隙間閉鎖部材１３を備えなくても、上記ケース２３の内面と上記閉鎖ローラー１１との間での外気の入り込みを防止できるようになる。
【００３４】
なお、上記の例では、上記基端部は上記軸受け部１４よりも上側に位置したが、これに限らず、上記基端部を上記軸受け部１４よりも下側に位置する構成も採用できる。
【００３５】
図６（Ａ）はこの発明の他の実施形態のシャッター雨戸の内部を示した説明図である。このシャッター雨戸では、上記移動許容支持部１２は、板部材１２ｅとヒンジ部１２ｆとコイルばね１２ｇとを有する。上記板部材１２ｅは、図６（Ｂ）に示しているように、上記閉鎖ローラー１１の幅と同程度の幅を有する。また、上記板部材１２ｅは、その幅方向の両端側に突出部を有しており、この突出部の先端に軸受け部１４を有している。上記軸受け部１４に上記閉鎖ローラー１１の軸部１１ａが挿入されている。上記板部材１２ｅは上記ケース２３の側に設けられた上記ヒンジ部１２ｆによって回動可能に支持される。
【００３６】
上記ヒンジ部１２ｆは上記軸部１１ａよりも高い位置に設けられる。そして、上記板部材１２ｅの上面には、上記コイルばね１２ｇの一端が固定されており、このコイルばね１２ｇの他端は上記ケース２３に固定されている。上記コイルばね１２ｇは、上記閉鎖ローラー１１を下向きに押さえる力が働くと、この力を受けて伸び、上記下向きの力が弱くなると伸びを小さくし、上記閉鎖ローラー１１を上記シャッター板２１に押し当てる状態を維持する。
【００３７】
このように、上記シャッター雨戸においては、上記移動許容支持部１２は上記閉鎖ローラー１１を回転自在に支持する上記板部材１２ｅと上記板部材１２ｅを回動させる上記ヒンジ部１２ｆと上記板部材１２ｅに作用する上記コイルばね１２ｇとから成り、上記閉鎖ローラー１１は、上記巻回部分２２の径が拡大するときに上記シャッター板２１に押されることで上記コイルばね１２ｇの付勢に抗して移動し、上記巻回部分２２の径が縮小するときに上記コイルばね１２ｇの付勢によって移動する。
【００３８】
また、上記板部材１２ｅは、上記ケース２３の内面と上記閉鎖ローラー１１との間を塞ぐ隙間閉鎖部材を兼ねるものとなり、別個に上記隙間閉鎖部材１３を備えなくても、上記ケース２３の内面と上記閉鎖ローラー１１との間での外気の入り込みを防止できるようになる。
【００３９】
なお、上記の例では、上記板部材１２ｅの上側に引きばねとして上記コイルばね１２ｇを設けたが、これに限らず、上記板部材１２ｅの下側に押しばねを設ける構成も採用できる。
【００４０】
図７（Ａ）はこの発明の他の実施形態のシャッター雨戸の内部を示した説明図である。このシャッター雨戸では、上記移動許容支持部１２は、板部材１２ｈとヒンジ部１２ｆを有して成る。上記板部材１２ｈは、図７（Ｂ）に示しているように、上記閉鎖ローラー１１の幅と同程度の幅を有する。また、上記板部材１２ｈは、その幅方向の両端側に突出部を有しており、この突出部の先端に軸受け部１４を有している。上記軸受け部１４に上記閉鎖ローラー１１の軸部１１ａが挿入されている。上記板部材１２ｈは上記ケース２３の側に設けられた上記ヒンジ部１２ｆによって回動可能に支持される。
【００４１】
上記ヒンジ部１２ｆは上記軸部１１ａよりも低い位置に設けられており、上記板部材１２ｈおよび上記閉鎖ローラー１１は上記シャッター板２１に寄り掛かるように位置している。上記閉鎖ローラー１１を上に移動させる方向に上記シャッター板２１が移動すると、この閉鎖ローラー１１は上記シャッター板２１に押されて上記板部材１２ｈとともに上方に揺動する。一方、上記閉鎖ローラー１１を下に移動させる方向に上記シャッター板２１が移動すると、上記閉鎖ローラー１１は自重によって上記板部材１２ｈとともに下方に揺動する。これにより、上記閉鎖ローラー１１を上記シャッター板２１に押し当てる状態が維持される。
【００４２】
このように、上記シャッター雨戸においては、上記移動許容支持部１２は上記閉鎖ローラー１１を回転自在に支持する上記板部材１２ｈと上記板部材１２ｈを回動させる上記ヒンジ部１２ｆとから成り、上記閉鎖ローラー１１は、上記巻回部分２２の径が拡大するときに上記シャッター板２１に押し上げられて斜め上に移動し、上記巻回部分２２の径が縮小するときに自重で斜め下に移動する。
【００４３】
また、上記板部材１２ｈは、上記ケース２３の内面と上記閉鎖ローラー１１との間を塞ぐ隙間閉鎖部材を兼ねるものとなり、別個に上記隙間閉鎖部材１３を備えなくても、上記ケース２３の内面と上記閉鎖ローラー１１との間での外気の入り込みを防止できるようになる。
【００４４】
なお、本発明は上記シャッター板２１が巻回部分２２の前側から出し入れされるタイプのシャッター雨戸にも適用可能であり、上記隙間閉鎖ローラー機構１は巻回部分２２の前側箇所に設けることも可能である。また、上記閉鎖ローラー１１が上記巻回部分２２を形成しているシャッター板２１に接して設けられる構成とすることも可能である。
【符号の説明】
【００４５】
１      隙間閉鎖ローラー機構
２      シャッター雨戸
３      窓
２１    シャッター板
２２    巻回部分
２３    ケース
２４    側面レール
２５    枠部
１１    閉鎖ローラー
１１ａ  軸部
１１ｂ  ローラー部
１２    移動許容支持部
１２ａ  ガイド板（ガイド部材）
１２ｂ  ガイド穴
１２ｃ  コイルばね
１２ｄ  板ばね
１２ｅ  板部材
１２ｆ  ヒンジ部
１２ｇ  コイルばね
１２ｈ  板部材
１３    隙間閉鎖部材
１４    軸受け部
【図１】
2013253440.tif 000003
【図２】
2013253440.tif 000004
【図３】
2013253440.tif 000005
【図４】
2013253440.tif 000006
【図５】
2013253440.tif 000007
【図６】
2013253440.tif 000008
【図７】
2013253440.tif 000009